(57)【特許請求の範囲】
【請求項１】
ジャム検知およびぺーパーエンド検知を行いつつ、ロール紙を繰り出し、要求の長さに切断して画像形成部に供給する給紙方法において、ペーパー交換時あるいはジャム処理時のペーパーサイクルの際、および／または、ぺーパーエンド検知の際は、前記ジャム検知の際の判定に用いられる許容余剰長さを通常時より長くすることを特徴とする給紙方法。
【請求項２】
ロール紙を繰り出し、要求長さに切断して供給する給紙手段と、切断された供給紙の長さを検知する紙長検知手段と、前記要求長さと検知長さの差を許容余剰長さと比較し、前記長さの差が許容余剰長さより大きい場合にジャムと判定する制御装置を有する給紙装置において、ペーパー交換時あるいはジャム処理時のペーパーサイクルの際、および／または、ぺーパーエンド検知の際には、前記許容余剰長さを大きく設定する制御装置を備えたことを特徴とする給紙装置。
【請求項３】
請求項２に記載の給紙装置を備えたことを特徴とするファクシミリ装置。
【発明の詳細な説明】
【０００１】
【発明の属する技術分野】
本発明は、給紙方法、装置およびファクシミリ装置に係り、特に、ロール状に巻かれた用紙(ロール紙という)の給紙技術の改良に関する。
【０００２】
【従来の技術】
複写機、プリンタあるいはファクシミリ装置などの画像形成装置に用紙を供給する給紙装置として、ロール紙を用いる給紙装置が広く用いられている。一般にこのロール紙の給紙に際しては、ロール紙を回転自在に支持し、ロール紙から紙を繰出し搬送し、所定の長さで切断して各種画像形成装置に供給する給紙手段(一般にユニット形式が多い)が用いられる。ロール紙の供給開始、すなわち、ロール紙のセッティングに際しては給紙ユニット内にロール紙をセットし、紙の先端を所定のピックアップローラに導き、セットアップを行うが、この際紙の先端部を所定長引出し、カッタで先端を切落とし、紙の先端を待機位置に導く(この処理をペーパーサイクルという)。以後、画像形成装置から用紙の要求があれば、この信号に基づき給紙手段は、ロール紙から紙を要求長さだけ繰出し、要求の長さで切断して、これを各種画像形成装置に送込む。
【０００３】
しかし、用紙の供給中の紙詰まりすなわちジャムの発生は避けられず、従来から種々のジャム検出の技術が提案されている。一般には、用紙の搬送量あるいは移動量を検出し、この搬送量、搬送長さが要求長さより長ければジャムと判定する。この判定に際しては、装置の誤差などを勘案して、搬送長さ換言すれば検出長さと、要求長さに所定の許容余剰長さを加えた基準長さと、を比較して検出長さが基準長さより大きい場合にジャムとして判定、検出する。
【０００４】
そして、一旦ジャムが発生すると装置を停止し、前述のロール紙のセッティング、頭出し操作すなわちペーパーサイクルを再度実施する。ところが、このペーパーサイクルに際しては、人が紙の先端をセットするためその位置がばらつき、結果として、引出し長さが設定値より大きくなり、現実にジャムが発生していないのにジャムと誤認することがあった。このため、ペーパーサイクルに際しては、厳密に紙端を位置決めする必要があった。
【０００５】
一方、ロール紙が使用され終端に近づくとペーパーエンドの検出が行われ、用紙の交換がなされるが、ペーパーエンドの際は、後のロール紙交換の際のトラブルを無くすために、ロール紙の終末端を取除く事を目的として実際の要求長より長く切断することが望ましい場合がある。しかし、この場合もジャムと誤認される。
【０００６】
【発明が解決しようとする課題】
本発明はかかる問題に鑑みなされたものであって、ロール紙のペーパーサイクル時の処理を容易にし、また、ペーパーエンド時の処理を容易にし、トラブルを防止した給紙方法、給紙装置およびファクシミリ装置を提供する。
【０００７】
【課題を解決するための手段】
本発明方法は、ジャム検知およびぺーパーエンド検知を行いつつ、ロール紙を繰り出し、要求の長さに切断して画像形成部に供給する給紙方法において、ペーパー交換時あるいはジャム処理時のペーパーサイクルの際、および／または、ぺーパーエンド検知の際は、前記ジャム検知の際の判定に用いられる許容余剰長さを通常時より長くすることを特徴とする。これにより、ペーパーサイクル時のロールの先端のセッティングが多少粗くても、また、ペーパーエンド時に紙が多少長く引出されたとしてもジャムの誤認が無いので作業が容易になり、逆に通常給紙の際はジャムの検出精度を上げることができる。
【０００８】
本発明装置は、ロール紙を繰り出し、要求長さに切断して供給する給紙手段と、切断された供給紙の長さを検知する紙長検知手段と、前記要求長さと検知長さの差を許容余剰長さと比較し、前記長さの差が許容余剰長さより大きい場合にジャムと判定する制御装置を有する給紙装置において、ペーパー交換時あるいはジャム処理時のペーパーサイクルの際、および／または、ぺーパーエンド検知の際には、前記許容余剰長さを大きく設定する制御装置を備えたことを特徴とする。これにより、簡易な装置で、ペーパーサイクル時ロールの先端のセッティングが多少粗くても、また、ペーパーエンド時に紙が多少長く引出されたとしてもジャムの誤認が無いので作業が容易になり、逆に通常給紙の際はジャムの検出精度を上げることができる。
【０００９】
本発明のファクシミリ装置は、本発明に係る給紙装置を備えているので給紙に係る処理作業負荷を低減できる。
【００１０】
【発明の実施の形態】
以下、本発明の好ましい実施形態を示す図面に基づいて詳細に説明する。
図１(a)は、本発明に係るファクシミリ装置の１実施形態の模式的側断面図であり、図１(b)は、その制御システムの説明図、図２(a)は、ペーパーサイクル時の制御のフローチャート、図２(b)は、ペーパーエンド時の制御のフローチャートを示し、図３は、ロール給紙手段の一例の簡略化した模式図である。
【００１１】
図１(a)において、ファクシミリ装置１の上部の本体２の下方には給紙手段であるロール給紙ユニット３が設置され、給紙ユニット３の中にはロール紙Ｒが回転自在に支持され、給紙ユニット３とファクシミリ本体２の中に形成される搬送路Ｇに沿ってロール紙Ｒから繰出され、要求の長さに切断された用紙がファクシミリ装置１の画像形成部に供給される。４は、供給される用紙の長さを検知する用紙検知センサである。
【００１２】
給紙ユニット３は、図３に示すように、用紙は、ロール紙Ｒから、巻ぐせを矯正するデカーラ31、ピックアップローラ32、ペーパーエンドセンサ33、カッタ34、フィードローラ35、用紙のたるみを吸収するなどのため、必要に応じて開閉するガイド板36、中継ローラ37および搬送ローラ38を介して供給される。なお、中継ローラ37および搬送ローラ38近傍には用紙の有無を検知するセンサー37a、38aが設置され検知信号を発している。
【００１３】
これらの各ローラ、カッタ等は、図１(b)のシステム構成に示すように、ロール紙給紙ユニット３、用紙検知センサ４およびファクシミリの制御装置２Ａが制御システムを構成し、制御装置２Ａが、画像形成部での用紙の要求長さの信号に応じ、ロール紙Ｒを繰出し、切断し、要求長さの用紙を搬送、供給する動作、あるいは、用紙検知センサ４で検出された用紙長さと要求長さとの差を計算し、この長さの差を、別途設定されている許容余剰長さと比較し、この差が許容余剰長さより大きい場合に、すなわち、要求長さより用紙長さがある限界以上に長い際にジャム判定を行う動作、また、ロール紙Ｒが消費され、ペーパーエンドがペーパーエンドセンサ33により検知されるとペーパーエンド検知信号を発し、所要のアクションを取るなど、ファクシミリ装置１の動作に応じて給紙ユニット３の操作を制御している。
【００１４】
このような、ファクシミリおよび給紙ユニットの構成、あるいは、用紙の長さ検知、ジャムの判定検知、ペーパーエンド検知あるいは制御システムは従来公知のものを使用でき、その詳細の説明は省略する。
【００１５】
さて、本発明の給紙方法、装置においては、図２(a)のフローチャートに示すように、まず、ペーパサイクル実施の際は、用紙ジャム判定の条件を変更する、すなわち、前述の許容余剰長さを大きくする、この大きさは、給紙ユニット３の搬送系の構成、ロール紙の頭出し操作内容によって異なるが、仮に、通常動作の許容余剰長さが20mmであれば、例えば60mmの許容余剰長さとし、40mm程度の余裕を見る。そして、ペーパーサイクルが完了すると、通常条件に戻す。
【００１６】
次に、図２(b)のフローチャートに示すように、ロール紙Ｒの終端が検知される、すなわちペーパーエンド時にも、同様に用紙ジャムの判定条件をゆるめる。そして新たなロール紙Ｒがセットされると通常条件に戻す。
【００１７】
このように、本発明においては、ペーパーサイクル時にはジャムの判定条件を緩和するので、ロール紙の先端が多少長めにセットされたとしてもジャム判定することはないので、ロール紙のセット作業に神経を使う必要はなく、作業が容易になる。
【００１８】
また、同じくペーパーエンド時にも、ジャム判定条件を緩和しているので、ジャム誤認を恐れること無く、ペーパーエンド時必要な長さだけ余分に用紙を送込め、紙端を搬出することができる。これにより、ペーパーエンド検出時に直ちにカッタ34を作動させずに済み、図３に示すようなペーパーエンド時、ペーパーエンドセンサ34とカッタ34の間に幅Ａの用紙が残留することが無く、各トラブルを解消できる。
【００１９】
なお、給紙ユニットの構成、制御方式によっては、ペーパーサイクル時のみジャム判定条件を緩和することで良いものもあり、また、逆に、ペーパーエンド時のみジャム判定条件を緩和することで良いものもあり、必ずしも、ペーパーサイクル時とペーパーエンド時共にジャム条件を緩和する必要は無い。それぞれ、給紙ユニット、給紙手段の特性に応じ緩和すれば良い。
【００２０】
また、上述の実施形態にあっては、用紙長さの検知のために、用紙検知センサ４をファクシミリ入口に配した。これにより用紙の長さを画像形成直前で測定できるが、場合によっては、搬送系に設けたセンサ37aあるいはセンサ38aにより検知することもできる。ジャム判定の際の許容幅を、現象上、許容余剰長さと説明している。しかし、制御装置の中における判定信号としては、物理的長さを時間、パルス数などに換算して表わすこともできるので必ずしも長さを直接測定、評価するものに限るものではなく、結果としての、許容余剰長さを意味するものと理解されるべきである。
【００２１】
【発明の効果】
本発明方法は、ペーパー交換時あるいはジャム処理時のペーパーサイクルの際、および／または、ぺーパーエンド検知の際は、ジャム検知の際の判定に用いられる許容余剰長さを通常時より長くするので、ペーパーサイクル時のロールの先端のセッティングが多少粗くても、また、ペーパーエンド時に紙が多少長く引出されたとしてもジャムの誤認が無いので作業が容易になり、逆に通常給紙の際はジャムの検出精度を上げることができる。
【００２２】
本発明装置は、ロール紙を繰り出し、要求長さに切断して供給する給紙手段と、切断された供給紙の長さを検知する紙長検知手段と、前記要求長さと検知長さの差を許容余剰長さと比較し、前記長さの差が許容余剰長さより大きい場合にジャムと判定する制御装置を有する給紙装置において、ペーパー交換時あるいはジャム処理時のペーパーサイクルの際、および／または、ぺーパーエンド検知の際には、前記許容余剰長さを大きく設定する制御装置を備えているので、簡易な装置で、ペーパーサイクル時ロールの先端のセッティングが多少粗くても、また、ペーパーエンド時に紙が多少長く引出されたとしてもジャムの誤認が無いので作業が容易になり、逆に通常給紙の際はジャムの検出精度を上げることができる。
【００２３】
本発明のファクシミリ装置は、本発明に係る給紙装置を備えているので給紙に係る処理作業負荷を低減できる。
【図面の簡単な説明】
【図１】図１(a)は、本発明に係るファクシミリ装置の１実施形態の模式的側断面図であり、図１(b)は、その制御システムの説明図である。
【図２】図２(a)は、ペーパーサイクル時の制御のフローチャート、図２(b)は、ペーパーエンド時の制御のフローチャートを示す。
【図３】図３は、ロール給紙手段の一例の簡略化した模式図である。
【符号の説明】
１    ファクシミリ装置
２    ファクシミリ本体
２Ａ  制御装置
３    ロール給紙ユニット
４    用紙検知センサ
Ｒ    ロール紙
Ｇ    搬送路
【図１】
0003824820.tif 000002
【図２】
0003824820.tif 000003
【図３】
0003824820.tif 000004